(57)【特許請求の範囲】
【請求項１】
２個の長さ方向流量制御ノズルブロックのセットと、２個の幅方向流量制御ノズルブロックのセットとが交互に配置された連続焼鈍ラインにおける急冷帯のストリップ温度を均一に制御するための方法において、
ストリップ温度検出値とストリップ情報を用いて、ストリップの前後面からそれぞれミ
ストを噴射させる長さ方向流量制御ノズルブロックおよび幅方向流量制御ノズルブロック
のバルブ開度を決定する段階（Ａ）と、
決定されたバルブ開度に対して、ストリップの出側目標温度から毎周期ストリップの出
側実際温度を差し引いてミスト噴射流量を調節するように前記長さ方向流量制御ノズルブ
ロックの開度補償値を決定する段階（Ｂ）と、
決定されたバルブ開度に対して、ストリップの幅方向の複数の領域でミスト噴射流量を
個別的に調節するように前記幅方向流量制御ノズルブロックの複数のサーボバルブの開度
値を決定する段階（Ｃ）と、を含んでなり、
前記長さ方向流量制御ノズルブロックおよび前記幅方向流量制御ノズルブロックのバル
ブ開度を決定する段階（Ａ）は、
ＮＥＸＴコイル情報入力モジュールからストリップの厚さ、幅および鋼種の情報を受け
取る段階（Ａ１）と、
現在の入側ストリップ温度、現在の出側ストリップ温度および目標のストリップ温度か
ら補償冷却熱量を計算する段階（Ａ２）と、
前記長さ方向流量制御ノズルブロックまたは前記幅方向流量制御ノズルブロックのバル
ブにミストを供給するメインバルブを流れるミスト流量値を計算する段階（Ａ３）と、
前記ミスト流量値を噴射ノズルブロック決定モジュールで予め定められたブロックの数
で割り、バルブ流量係数値を計算する段階（Ａ４）と、
前記バルブ流量係数値を用いて前記長さ方向流量制御ノズルブロックおよび前記幅方向
流量制御ノズルブロックのバルブ開度を決定する段階（Ａ５）と、を含んでなり、
前記長さ方向流量制御ノズルブロックの開度補償値を決定する段階（Ｂ）は、
比例−積分制御器を備える長さ方向温度制御器によって実行され、
下記式５を用いてミスト流量を算出し、下記式６によって流量係数を計算し、該流量係数に基づいてバルブ開度（α）を計算する段階を含んでなり、
前記幅方向流量制御ノズルブロックの複数のサーボバルブの開度値を決定する段階（Ｃ
）は、ストリップの幅を複数の領域に分け、前記幅方向流量制御ノズルブロックには複数
の領域にそれぞれ位置するようにストリップの幅方向に分離された複数のサーボバルブを
設置し、複数のサーボバルブは幅方向温度制御器によって流量が制御され、幅方向温度制
御器はストリップの幅方向目標温度分布からストリップの幅方向実測温度分布値を差し引
いて前記幅方向温度制御器の入力値として使用し、複数のサーボバルブに対してそれぞれ
下記式５を用いてミスト流量を算出し、下記式６によって流量係数を計算し、該流量係数に基づきサーボバルブのバルブ開度（α）を計算する段階を含み、ストリップの幅方向温度制御を実行し、
ストリップに噴射されるミストの噴射流量の制御によってストリップの温度を均一に制
御し、ストリップの平坦度の変化を最小化するように構成されたことを特徴とする連続焼
鈍ラインにおける急冷帯のストリップ温度制御方法。
【数５】
0005964449.tif 000012
【数６】
0005964449.tif 000013
【請求項２】
前記補償冷却熱量を計算する段階（Ａ２）は、下記式３（＝式２−式１）を用いて補償冷却熱量を計算することを特徴とする請求項１に記載の連続焼鈍ラインにおける急冷帯のストリップ温度制御方法。
【数１】
0005964449.tif 000014
【数２】
0005964449.tif 000015
【数３】
0005964449.tif 000016
【請求項３】
前記ミスト流量値を計算する段階（Ａ３）は、下記式４によって求められた下記式５を用いて前記ミスト流量値を計算することを特徴とする請求項１に記載の連続焼鈍ラインにおける急冷帯のストリップ温度制御方法。
【数４】
0005964449.tif 000017
【数５】
0005964449.tif 000018
【請求項４】
連続焼鈍ラインにおける急冷帯のストリップ温度を均一に制御するための装置において、
急冷帯の入出側でストリップの温度を測定するストリップセンター温度測定器と幅方向温度測定器、
ストリップの温度制御のためにストリップの前後面にそれぞれ上下に複数セット設置された長さ方向流量制御ノズルブロック、および
ストリップの幅を複数の領域に分け、それぞれの領域に噴射されるミストの流量をそれぞれのサーボバルブで制御することにより、ストリップの幅方向に噴射されるミストの流量を互いに異なるように制御してストリップの幅方向の温度を均一に制御する複数セットの幅方向流量制御ノズルブロック、を含み、
２個の長さ方向流量制御ノズルブロックのセットと、２個の幅方向流量制御ノズルブロックのセットとが交互に配置され、
前記ストリップセンター温度測定器と前記幅方向温度測定器から得られた温度検出値を用いて前記長さ方向流量制御ノズルブロックおよび前記幅方向流量制御ノズルブロックのミスト噴射流量をそれぞれ制御してストリップの温度を均一に制御し、ストリップの平坦度の変化を最小化するように構成されたことを特徴とする連続焼鈍ラインにおける急冷帯のストリップ温度制御装置。
【請求項５】
前記幅方向流量制御ノズルブロックは、ストリップの幅を複数の領域に分け、それぞれの領域に噴射されるミストの流量を複数のサーボバルブによって個別的に制御するように構成されたことを特徴とする請求項４に記載の連続焼鈍ラインにおける急冷帯のストリップ温度制御装置。
【発明の詳細な説明】
【技術分野】
【０００１】
本発明は、連続焼鈍ラインにおける急冷帯のストリップ温度制御方法および装置に係り、より詳しくは、連続焼鈍ラインの急冷帯の入力端および出力端で幅方向の温度を検出し、フィードバック・フィードフォワード制御技法を用いて冷却ノズルブロックの幅方向ミスト（ｍｉｓｔ）流量の制御を行うことにより、ストリップの幅方向の温度を均一に制御してストリップの平坦度の変化を最小化するようにした、連続焼鈍ラインにおける急冷帯のストリップ温度制御方法および装置に関する。
【背景技術】
【０００２】
一貫総合製鉄所に備えられた連続焼鈍ラインのファーネス（Ｆｕｒｎａｃｅ）構成を図１に示した。
このような連続焼鈍ラインのファーネス１０は、その入側に入力されるストリップが、予熱帯１１で加熱帯１２の排ガスを用いて予熱され、加熱帯１２でラジアンチューブを介して間接加熱されて昇温する。
加熱帯１２を通過したストリップは、均熱帯１３で一定の温度に均熱処理され、徐冷帯１４で雰囲気ガスの循環冷却によって徐冷される。
徐冷帯１４を通過したストリップは、急冷帯１５で主ガスジェット、冷却ロールおよび補助ガスジェットを用いて冷却され、過時効帯１６で過時効処理されて最終冷却帯１７で冷却する。
【０００３】
このような連続焼鈍ラインのファーネス１０は、予熱帯１１および加熱帯１２でストリップ内の結晶粒が回復および再結晶し、均熱帯１３で結晶粒が成長する。
また、ストリップの温度を下降させる徐冷帯１４では固溶炭素の溶解度が大きくなり、急冷帯１５では固溶炭素が過飽和になり、この固溶炭素の過飽和により形成された炭化物（Ｆｅ３Ｃ）は過時効帯１６で析出する。
このような連続焼鈍ラインのファーネス１０における急冷帯１５のストリップ温度を制御する方法として、幾つかの技術が提案されている。
すなわち、従来の技術としては、特許文献１（韓国公開特許第２００５−００５１０２３号）の「連続焼鈍ラインにおける急冷帯のストリップ冷却速度制御方法」が提示されている。
【０００４】
このような従来の方式は、連続焼鈍ラインにおける急冷帯のストリップ冷却速度制御方法に関するもので、急冷帯を通過するストリップの冷却速度およびストリップ内の炭素濃度を一定に維持することができるため、均一な品質の冷延鋼板の生産が可能な方法である。
特許文献２（韓国公開特許第２００４−００４７３０８号）の「焼鈍炉のストリップ冷却装置」は、焼鈍炉の急冷帯におけるストリップを目標の温度に均一に冷却するための装置に関し、ロール内への冷却水の供給によるロール冷却を用いた均一冷却に関する発明である。
また、特許文献３（韓国公開特許第２００３−００５４５１３号）の「連続焼鈍炉における冷却帯のストリップ冷却制御方法」には、連続焼鈍炉の冷却帯で冷却ファンの出力変化を制御してストリップの冷却を制御する方法が紹介されている。
ところが、このような従来の技術はいずれも、ストリップの長さ方向の温度を制御することを目的としており、幅方向の温度を制御することが不可能であるという問題点がある。
【先行技術文献】
【特許文献】
【０００５】
【特許文献１】韓国公開特許第２００５−００５１０２３号
【特許文献２】韓国公開特許第２００４−００４７３０８号
【特許文献３】韓国公開特許第２００３−００５４５１３号
【発明の概要】
【発明が解決しようとする課題】
【０００６】
本発明は、前述した従来の問題点を解消するためになされたもので、その目的は、垂直方向に動くストリップの幅方向の温度分布を所望の形態に制御することにより、究極的にストリップの不均一冷却による平坦度の不良を最小化することができる連続焼鈍ラインにおける急冷帯のストリップ温度制御方法および装置を提供することにある。
また、本発明の他の目的は、連続焼鈍ラインにおける急冷帯の入力端および出力端の幅方向温度計を用いて温度を検出し、フィードバック・フィードフォワード制御技法を用いて急冷帯の幅方向ミスト噴射流量の制御によってストリップの幅方向の温度を均一に制御することにより、ストリップの平坦度の変化を最小化するようにした連続焼鈍ラインにおける急冷帯のストリップ温度制御方法および装置を提供することにある。
【課題を解決するための手段】
【０００７】
上記目的を達成するためになされた本発明の連続焼鈍ラインにおける急冷帯のストリップ温度制御方法は、ストリップ温度検出値とストリップ情報を用いて、ストリップの前後面からそれぞれミストを噴射させる長さ方向流量制御ノズルブロックおよび幅方向流量制御ノズルブロックのバルブ開度を決定する段階と、決定されたバルブ開度に対して、ストリップの出側目標温度から毎周期ストリップの出側実際温度を差し引いてミスト噴射流量を調節するように長さ方向流量制御ノズルブロックの開度補償値を決定する段階と、決定されたバルブ開度に対して、ストリップの幅方向の多数の領域でミスト噴射流量を個別的に調節するように幅方向流量制御ノズルブロックの多数のサーボバルブの開度値を決定する段階とを含んでなり、ストリップに噴射されるミストの噴射流量の制御によってストリップの温度を均一に制御し、ストリップの平坦度の変化を最小化するように構成されたことを特徴とする。
【０００８】
上記目的を達成するためになされた本発明の連続焼鈍ラインにおける急冷帯のストリップ温度制御装置は、急冷帯の入出側でストリップの温度を測定するストリップセンター温度測定器と幅方向温度測定器、ストリップの温度制御のためにストリップの前後面にそれぞれ上下に多数セット設置された長さ方向流量制御ノズルブロック、およびストリップの幅を多数の領域に分け、それぞれの領域に噴射されるミストの流量をそれぞれのサーボバルブで制御することにより、ストリップの幅方向に噴射されるミストの流量を互いに異なるように制御してストリップの幅方向の温度を均一に制御する多数セットの幅方向流量制御ノズルブロック、を含み、ストリップセンター温度測定器と幅方向温度測定器から得られた温度検出値を用いて長さ方向流量制御ノズルブロックおよび幅方向流量制御ノズルブロックのミスト噴射流量をそれぞれ制御してストリップの温度を均一に制御し、ストリップの平坦度の変化を最小化するように構成されたことを特徴とする。
【０００９】
また、幅方向流量制御ノズルブロックは、ストリップの幅を多数の領域に分け、それぞれの領域に噴射されるミストの流量を多数のサーボバルブによって個別的に制御するよう構成されたことが好ましい。
【発明の効果】
【００１０】
本発明によれば、本発明の連続焼鈍ラインにおける急冷帯のストリップ温度制御方法および装置は、ストリップの前後面に長さ方向流量制御ノズルブロックと幅方向量制御ノズルブロックを多数区画設置し、急冷帯の入出側に設置されたストリップセンター温度測定器と幅方向温度測定器から得られた温度検出値を用いて、長さ方向流量制御ノズルブロックと幅方向流量制御ノズルブロックからそれぞれ噴射されるミストの噴射流量をそれぞれ制御することにより、垂直方向に動くストリップの幅方向温度分布を所望の形態に制御することができ、究極的にストリップの不均一冷却による平坦度の不良を最小化することができる優れた効果がある。
また、本発明によれば、本発明の連続焼鈍ラインにおける急冷帯のストリップ温度制御方法および装置は、連続焼鈍ラインにおける急冷帯の入力端および出力端の幅方向温度計を用いて温度を検出し、フィードバック・フィードフォワード制御技法を用いて急冷帯の幅方向ミスト噴射流量の制御によってストリップの幅方向の温度を均一に制御することができ、これにより、ストリップの平坦度の変化を最小化することができる優れた効果がある。
【図面の簡単な説明】
【００１１】
【図１】一般な連続焼鈍ラインの全体構成図である。
【図２】本発明に係る連続焼鈍ラインにおける急冷帯のストリップ温度制御装置が適用される連続焼鈍ラインの急冷帯を詳細に示す断面図である。
【図３】本発明に備えられた急冷帯の幅方向分割噴射ノズルブロックを示す構成図である。
【図４】図３に示した噴射ノズルブロックのミスト噴射ノズルの詳細図である。
【図５】本発明に係る連続焼鈍ラインにおける急冷帯のストリップ温度制御方法を全体的に示す説明図である。
【図６】本発明に係る連続焼鈍ラインにおける急冷帯のストリップ温度制御方法で活用される長さ方向出側温度制御器の構成図である。
【図７】本発明に係る連続焼鈍ラインにおける急冷帯のストリップ温度制御方法で活用される幅方向温度制御器の構成図である。
【図８】本発明に係る連続焼鈍ラインにおける急冷帯のストリップ温度制御方法で実行される幅方向温度偏差の計算ロジックである。
【発明を実施するための形態】
【００１２】
以下に添付図面を参照して、本発明の好適な実施例をより詳細に説明する。
本発明の連続焼鈍ラインにおける急冷帯のストリップ温度制御方法および装置は、連続焼鈍ラインにおける急冷帯の入力端および出力端の温度計を用いて温度を検出し、フィードバック・フィードフォワード制御技法を用いて急冷帯のミスト噴射流量制御によってストリップの温度を均一に冷却制御することができることから、ストリップの平坦度の変化を最小化することができる。
【００１３】
まず、本発明に係る連続焼鈍ラインにおける急冷帯のストリップ温度制御装置１００を添付図に基づいて説明する（図２参照）。
本発明の連続焼鈍ラインにおける急冷帯のストリップ温度制御装置１００は、ストリップの温度制御のために冷却ノズルブロックをストリップの前後面にそれぞれ上下に複数設置するが、長さ方向流量制御ノズルブロックと幅方向流量制御ノズルブロックに区画して複数セット設置する。
このように本発明に係る連続焼鈍ラインおける急冷帯のストリップ温度制御装置１００が適用される連続焼鈍ラインの急冷帯２００は、図２に示したとおり、冷却ノズルブロックが上下に１１セット構成されるが、１１セットのうち、長さ方向流量制御ノズルブロックは６セットであり、幅方向流量制御ノズルブロックは５セットである。冷却ノズルブロックは、それぞれストリップの前後面に設置され、それらの間をストリップＳが通過する。
【００１４】
すなわち、ストリップＳの温度を均一に制御するために、長さ方向流量制御ノズルブロックは急冷帯２００の入側から１番ブロック２１１、２番ブロック２１２、５番ブロック２１５、６番ブロック２１６、９番ブロック２１９、１０番ブロック２２０に設置され、幅方向流量制御ノズルブロックは急冷帯２００の入側から３番ブロック２１３、４番ブロック２１４、７番ブロック２１７、８番ブロック２１８、１１番ブロック２２１に順次設置される。
本発明に係る連続焼鈍ラインにおける急冷帯のストリップ温度制御装置１００は、図５に示したとおり、急冷帯２００の入出側にストリップセンター温度測定器２３１ａ、２３１ｂと幅方向温度測定器２３３ａ、２３３ｂを備える。
すなわち、本発明は、ストリップの温度制御のために急冷帯２００の入出側のストリップセンター温度測定器２３１ａ、２３１ｂを設置し、幅方向の温度制御のために幅方向温度測定器２３３ａ、２３３ｂを設置し、ストリップの実測温度値を検出する。
【００１５】
このような本発明に係る連続焼鈍ラインにおける急冷帯のストリップ温度制御装置１００は、ストリップセンター温度測定器２３１ａ、２３１ｂと幅方向温度測定器２３３ａ、２３３ｂから得られた温度検出値を用いて長さ方向流量制御ノズルブロックおよび幅方向流量制御ノズルブロックのミスト噴射流量をそれぞれ制御する。
本発明が適用される急冷帯２００は、生産されるストリップ素材の鋼種および大きさによって要求される冷却率（Ｃｏｏｌｉｎｇ  Ｒａｔｅ：℃／ｓｅｃ）が異なり、これにより合計１１セットのノズルブロックの流量を決定する制御が求められる。
【００１６】
このようなノズルブロックから噴射されるストリップ冷却媒体はミスト（ｍｉｓｔ）である。これは、図４に示したとおり、ノズルの内部で窒素と冷却水とが混合されてミストを噴射させる。
急冷帯２００に設置された長さ方向流量制御ノズルブロックは、急冷帯２００の入側から１番ブロック２１１、２番ブロック２１２、５番ブロック２１５、６番ブロック２１６、９番ブロック２１９、１０番ブロック２２０に設置され、図５に示したとおり、各ブロックのメインバルブ３３１を調節してミスト流量を調節する。
【００１７】
また、幅方向流量制御ノズルブロックは、３番ブロック２１３、４番ブロック２１４、７番ブロック２１７、８番ブロック２１８、１１番ブロック２２１であって、それぞれ図３および図５に示したとおり、各ブロックのメインバルブ３３１の後端でストリップの幅方向に多数の領域、好ましくは５領域に分け、各５領域の流量を個別的にサーボバルブ３３２を介してそれぞれ制御する。
すなわち、幅方向流量制御ノズルブロックに備えられた５セットのサーボバルブ３３２は、図３に示したとおり、それぞれのバルブ開度補償値を決定して、連続焼鈍ラインの急冷帯２００に設置された３番ブロック２１３、４番ブロック２１４、７番ブロック２１７、８番ブロック２１８、１１番ブロック２２１の位置で、ストリップの幅方向に分離された５つのサーボバルブ３３２別に異なる流量のミストを噴射する。
このように本発明の連続焼鈍ラインにおける急冷帯のストリップ温度制御装置１００は、急冷帯２００のミスト噴射流量制御によってストリップの温度を均一に制御することができ、その結果としてストリップの平坦度の変化を最小化することができる。
【００１８】
前述した本発明の連続焼鈍ラインにおける急冷帯のストリップ温度制御装置１００を用いて、ストリップの冷却温度を制御する本発明の連続焼鈍ラインにおける急冷帯のストリップ温度制御方法３００について、より詳細に説明する。
本発明に係る連続焼鈍ラインにおける急冷帯のストリップ温度制御方法３００は、ストリップセンター温度測定器２３１ａ、２３１ｂと幅方向温度測定器２３３ａ、２３３ｂから得られた温度検出値を用いて長さ方向流量制御ノズルブロックおよび幅方向流量制御ノズルブロックのミスト噴射流量をそれぞれ制御する。
【００１９】
本発明の連続焼鈍ラインにおける急冷帯のストリップ温度制御方法３００は、図５に示したとおり、ストリップセンター温度測定器と幅方向温度測定器を用いて得られた温度検出値とコイル情報を用いて、ミスト噴射流量をそれぞれ計算し、長さ方向流量制御ノズルブロックおよび幅方向流量制御ノズルブロックのミスト噴射流量をそれぞれ制御する。
この本発明に係る連続焼鈍ラインにおける急冷帯のストリップ温度制御方法３００は、連続焼鈍ラインに備えられた制御コンピュータ（図示せず）によっで行われるが、制御コンピュータでは、内蔵された各種モジュールに入力された各種数式によって演算が自動的に行われる。
【００２０】    まず、本発明に係る連続焼鈍ラインにおける急冷帯のストリップ温度制御方法３００は、急冷帯２００の入出側に設置されたストリップセンター温度測定器２３１ａ、２３１ｂと幅方向温度測定器２３３ａ、２３３ｂから得られた温度検出値を用いて、ストリップの前後面にそれぞれ上下に多数設置された長さ方向流量制御ノズルブロックおよび幅方向流量制御ノズルブロックのバルブ開度を決定する段階Ａが行われる。    このような長さ方向流量制御ノズルブロックおよび幅方向流量制御ノズルブロックのバルブ開度を決定する段階Ａは、図５に示したとおり、まず制御コンピュータ（図示せず）に内蔵されたＮｅｘｔコイル情報入力モジュールからストリップの厚さ、幅および鋼種情報を受け取り（段階Ａ１）、ストリップセンター温度測定器２３１ａ、２３１ｂから現在の入側ストリップ温度および出側ストリップ温度を受け取り、目標のストリップ温度から下記式３（＝式２−式１）を用いて補償冷却熱量計算モジュールで補償冷却熱量を計算する段階Ａ２が行われる。
【００２１】
【数１】
0005964449.tif 000002
【数２】
0005964449.tif 000003
【数３】
0005964449.tif 000004
次に、下記式４によって求められた式５を用いてミスト流量値を計算する段階（Ａ３）が行われる。
【００２２】
【数４】
0005964449.tif 000005
【数５】
0005964449.tif 000006
次に、ミスト流量値を、制御コンピュータの噴射ノズルブロック決定モジュールで予め定められたブロックの数で割り（段階Ａ４）、得られた数値をバルブ開度計算モジュールの入力値として使用し、この値を用いて下記数式６からバルブ流量係数（Ｃｖ）値を計算する。
【数６】
0005964449.tif 000007
バルブ流量係数（Ｃｖ）値を用いて最終各ブロックのバルブ開度を決定する段階Ａ５が行われる。
【００２３】
このような段階によって決定されたバルブ開度値が、コイルが変わる地点で、後述するような段階Ｂでの長さ方向流量制御ノズルブロックの初期バルブ開度値３２７になる。
また、後述するような段階Ｃでの幅方向流量制御ノズルブロックに対しては、バルブ開度値を５で割った値３２８が幅方向流量制御ノズルブロックのバルブ開度値になる。
【００２４】
そして、本発明に係る連続焼鈍ラインにおける急冷帯のストリップ温度制御方法３００は、次いで、決定されたバルブ開度に対して、ストリップの出側目標温度から毎周期ストリップの出側実際温度を差し引いて長さ方向流量制御ノズルブロックの開度補償値３５６を決定する段階Ｂが行われる。
このような段階Ｂは、段階Ａ５で決定されたバルブ開度に対して、ストリップの出側目標温度３５３から毎周期ストリップの出側実際温度３５４を差し引いて長さ方向流量制御ノズルブロックの開度補償値３５６を決定する段階Ｂであって、比例−積分制御器３４８ａを含む長さ方向温度制御器３４８によって実行される。
このような長さ方向温度制御器３４８の詳細な構成を図６に示した。すなわち、長さ方向温度制御器３４８では、ストリップの出側目標温度３５３から毎周期ストリップの出側実際温度３５４を差し引いた値を長さ方向温度制御器３４８の入力値にして開度補償値３５６を計算する。
このような過程で、長さ方向温度制御器３４８は、段階Ａ３でも引用された下記式５を用いてミスト流量を算出する。
【００２５】
【数５】
0005964449.tif 000008
次に、段階Ａ５で引用された下記式６によって流量係数Ｃｖを計算する。
【数６】
0005964449.tif 000009
その後、流量係数に基づいてバルブ開度（α）を計算する。  
【００２６】
このような過程を経て、長さ方向流量制御ノズルブロックの開度補償値３５６を決定し、これを反映して連続焼鈍ラインの急冷帯２００に設置された１番ブロック２１１、２番ブロック２１２、５番ブロック２１５、６番ブロック２１６、９番ブロック２１９、１０番ブロック２２０の長さ方向流量制御ノズルブロックからミストを噴射する。
次に、本発明に係る連続焼鈍ラインにおける急冷帯のストリップ温度制御方法３００は、決定されたバルブ開度に対して、ストリップＳの幅方向の多数の領域でミスト噴射流量を個別的に調節するように幅方向流量制御ノズルブロックの多数のサーボバルブ３３２の開度値を決定する段階Ｃが行われる。
すなわち、段階Ｃでは、ストリップＳの幅方向の温度制御のためにストリップの幅を５つの領域に分け、幅方向流量制御ノズルブロックに、それぞれストリップの幅方向に分離された５つのサーボバルブ３３２を設置し（図３および図５参照）、ストリップの幅方向目標温度分布３６５からストリップの幅方向実測温度分布値３６６を差し引いて幅方向の温度制御器３６９の入力値として使用する。
【００２７】
幅方向温度制御器３６９は、段階Ａ５で決定されたバルブ開度に対して、ストリップの幅方向目標温度分布３６５から毎周期ストリップの幅方向実測温度分布値３６６を差し引いて幅方向流量制御ノズルブロックのそれぞれのサーボバルブ３３２の開度値を計算する。
このような過程で、幅方向温度制御器３６９は、図５および図７に示すように、幅方向目標温度分布３６５から、幅方向温度測定器２３３ａ、２３３ｂによって得られた幅方向実測温度分布値３６６を差し引き、得られた値を幅方向温度制御器３６９の入力値にして幅方向流量制御ノズルの開度値を計算する。
【００２８】
ここで、図５に示した幅方向温度制御モジュール３７３で行われる幅方向温度偏差の計算ロジックを図８に示した。
また、幅方向温度制御器３６９の詳細な構成が図７に示されており、それぞれのサーボバルブ３３２に対する開度値は段階Ｂで採用された長さ方向温度制御器３４８の制御ロジックと同様に使用され、そのパラメータ値は幅方向のノズルに合わせてそれぞれ修正される。
【００２９】
幅方向温度制御器３６９は、５つのサーボバルブ３３２に対してそれぞれ下記式５を用いてミスト流量を算出する。
【数５】
0005964449.tif 000010
下記式６によって流量係数Ｃｖを計算する。
【数６】
0005964449.tif 000011
流量係数に基づいて５つのサーボバルブ３３２の開度をそれぞれ計算する。  
【００３０】
このような過程を経て、段階Ｃでは、幅方向流量制御ノズルブロックの５セットのサーボバルブ３３２のバルブ開度補償値をそれぞれ決定し、連続焼鈍ラインの急冷帯２００に設置された３番ブロック２１３、４番ブロック２１４、７番ブロック２１７、８番ブロック２１８、１１番ブロック２２１の幅方向流量制御ノズルブロックから、ストリップの幅方向に分離された５つのサーボバルブ３３２毎に異なるようにミストをストリップの５つの領域にそれぞれ噴射する。
前述した本発明の連続焼鈍ラインにおける急冷帯のストリップ温度制御方法３００によれば、ストリップＳの前後面に長さ方向流量制御ノズルブロックと幅方向流量制御ノズルブロックを多数区画設置し、急冷帯２００の入出側に設置されたストリップセンター温度測定器２３１ａ、２３１ｂと幅方向温度測定器２３３ａ、２３３ｂから得られた温度検出値を用いて、長さ方向流量制御ノズルブロックと幅方向流量制御ノズルブロックからそれぞれ噴射されるミストの噴射流量をそれぞれ制御することにより、垂直方向に動くストリップの幅方向温度分布を所望の形態に制御する。
したがって、本発明によれば、究極的にストリップの不均一冷却による平坦度の不良を最小化することができる。
【００３１】
また、本発明の連続焼鈍ラインにおける急冷帯のストリップ温度制御方法３００によれば、連続焼鈍ラインにおける急冷帯３００の入力端および出力端の幅方向温度計を用いて温度を検出し、フィードバック・フィードフォワード制御技法を用いて急冷帯２００の幅方向のミスト噴射流量制御によってストリップの幅方向の温度を均一に制御することができることから、ストリップの平坦度の変化を最小化することができる。
【００３２】
以上、本発明を特定の実施例に関連して詳細に説明したが、本発明はこのような特定の構造に限定されるものではない。当該分野における通常の知識を有する者であれば、添付された請求の範囲に記載された本発明の技術思想および権利範囲を逸脱することなく、本発明に様々な修正または変更を加えることができるであろう。しかし、それらの単純な設計的修正または変形構造はいずれも明白に本発明の権利範囲内に属することを予め明らかにしておく。
【符号の説明】
【００３３】
１０      ファーネス
１１      予熱帯
１２      加熱帯
１３      均熱帯
１４      徐冷帯
１５、２００    急冷帯
１６      過時効帯
１７      最終冷却帯
１００    連続焼鈍ラインにおける急冷帯のストリップ温度制御装置
２１１    １番ブロック
２１２    ２番ブロック
２１３    ３番ブロック
２１４    ４番ブロック
２１５    ５番ブロック
２１６    ６番ブロック
２１７    ７番ブロック
２１８    ８番ブロック
２１９    ９番ブロック
２２０    １０番ブロック
２２１    １１番ブロック
２３１ａ、２３１ｂ    ストリップセンター温度測定器（長さ方向温度測定器）
２３３ａ、２３３ｂ    幅方向温度測定器
３００    連続焼鈍ラインにおける急冷帯のストリップ温度制御方法
３２７    長さ方向流量制御ノズルブロックの初期バルブ開度値
３２８    幅方向流量制御ノズルブロックのバルブ開度値
３３１    メインバルブ
３３２    サーボバルブ
３４８    長さ方向温度制御器
３４８ａ  比例−積分制御器
３５３    ストリップの出側目標温度
３５４    毎周期ストリップの出側実際温度
３５６    長さ方向流量制御ノズルブロックの開度補償値
３６５    ストリップの幅方向目標温度分布
３６６    ストリップの幅方向実測温度分布値
３６９    幅方向温度制御器
３７３    幅方向温度制御モジュール
Ａ    長さ方向流量制御ノズルブロックおよび幅方向流量制御ノズルブロックのバルブ開度を決定する段階
Ａ１  Ｎｅｘｔコイル情報入力モジュールから情報を受け取る段階
Ａ２  補償冷却熱量を計算する段階
Ａ３  ミスト流量値を計算する段階
Ａ４  ミスト流量値をブロックの数で割る段階
Ａ５  最終各ブロックのバルブ開度を決定する段階
Ｂ    長さ方向流量制御ノズルブロックの開度補償値を決定する段階
Ｃ    幅方向流量制御ノズルブロックのそれぞれのサーボバルブの開度値を決定する段階
Ｓ    ストリップ
Ｔ１，Ｔ２，Ｔ３，Ｔ４，Ｔ５  幅方向実測温度
【図１】
0005964449.tif 000019
【図２】
0005964449.tif 000020
【図３】
0005964449.tif 000021
【図４】
0005964449.tif 000022
【図５】
0005964449.tif 000023
【図６】
0005964449.tif 000024
【図７】
0005964449.tif 000025
【図８】
0005964449.tif 000026